(57)【要約】【課題】妊婦が着用できるアウターウェアボトムスにインナーパンツを備えたマタニティ用ボトムスを提供する。【解決手段】アウターウェアボトムス１にインナーパンツ２を備えたマタニティ用ボトムスにおいて、前記アウターウェアボトムス１の上部リブ部１１を周囲を広くしたものであってゴム紐１２の伸縮により周囲を調節できる構成として、また、前記インナーパンツ２はウエスト２１の上端を前記リブ部１１の下端内面に逢着して一体として構成したものであり、さらに、前記インナーパンツ２は少なくとも上部２２を伸縮できる生地で構成する。【選択図】図１
0003213986.tif 000002
【実用新案登録請求の範囲】
【請求項１】
アウターウェアボトムスにインナーパンツを備えたマタニティ用ボトムスにおいて、前記アウターウェアボトムスの上部リブ部を周囲を広くしたものであってゴム紐の伸縮により周囲を調節できる構成として、また、前記インナーパンツはウエストの上端を前記リブ部の下端内面に逢着して一体として構成したものであり、さらに、前記インナーパンツは少なくとも上部を伸縮できる生地で構成したことを特徴とするマタニティ用ボトムス。
【請求項２】
前記ゴム紐は調節手段により長さ調節自在とした請求項１に記載のマタニティ用ボトムス。
【請求項３】
前記伸縮できる生地がベア天竺生地である請求項１又は２に記載のマタニティ用ボトムス。
【請求項４】
前記インナーパンツの上部より下部をボア生地で構成した請求項１又は２又は３に記載のマタニティ用ボトムス。
【請求項５】
前記アウターウェアボトムスがスカートである請求項１乃至４の何れかに記載のマタニティ用ボトムス。
【請求項６】
前記アウターウェアボトムスがズボンである請求項１乃至４の何れかに記載のマタニティ用ボトムス。
【考案の詳細な説明】
【技術分野】
【０００１】
本考案は、アウターウェアボトムスにインナーパンツを備えたマタニティ用ボトムスに関するものである。
【背景技術】
【０００２】
アウターウェアボトムスにインナーパンツを備えたボトムスとしては、スカート付パンツ（特許文献１参照）が知れている。
【０００３】
前記したスカート付パンツは、スカートとパンツが重なった状態で着用することにより、冬季の防寒対策となるものである。しかしながら、妊婦が着用できる配慮のないものであった。そこで、冬季において妊婦が十分な防寒対策となり、見た目においてもスッキリしたアウターウェアボトムスにインナーパンツを備えたボトムスが待望されていた。
【先行技術文献】
【特許文献】
【０００４】
【特許文献１】実用新案登録第３１７４９２８号公報
【考案の概要】
【考案が解決しようとする課題】
【０００５】
本考案は前記のような待望に応えたアウターウェアボトムスにインナーパンツを備えたマタニティ用ボトムスを提供することを目的として完成されたものである。
【課題を解決するための手段】
【０００６】
本考案のマタニティ用ボトムスは、アウターウェアボトムスにインナーパンツを備えたマタニティ用ボトムスにおいて、前記アウターウェアボトムスの上部リブ部を周囲を広くしたものであって長さ調節自在としたゴム紐の伸縮により周囲を調節できる構成として、また、前記インナーパンツはウエストの上端を前記リブ部の下端内面に逢着して一体として構成したものであり、さらに、前記インナーパンツは少なくとも上部を伸縮できる生地で構成したことを特徴とするものである。
【０００７】
また、前記ゴム紐は調節手段により長さ調節自在とすることが好ましいものである。また、前記伸縮できる生地がベア天竺生地であることが好ましいものである。前記インナーパンツの上部より下部をボア生地で構成したものであっても良いものである。前記アウターウェアボトムスがスカートであってもズボンであっても良いものである。
【考案の効果】
【０００８】
前記した本考案のマタニティ用ボトムスは、前記アウターウェアボトムスの上部リブ部を周囲を広くしたものであってゴム紐の伸縮により周囲を調節できる構成として、また、インナーパンツのウエストの上端を前記ウエストベルト部の下端内面に逢着して一体として構成したものであるから、着用者の腹部の大きさが変動しても着用できるものである。
【０００９】
したがって、妊婦の妊娠初期から産前までの月数の経過による腹部の膨らみの進みに応じて腹部を隠した状態で着用できるものである。しかも、インナーパンツは少なくとも上部を伸縮できる生地で構成したものであるので、これに接する腹部は膨らみ具合に応じた適度な強さで締め付けられて快適な着心地となるものである。また、冬季においては妊婦の十分な防寒対策となり、見た目においてもスッキリした感じで着こなすことができるものである。
【００１０】
また、前記ゴム紐を調節手段により長さ調節自在とすることにより、より調節範囲が広くなり、腹部の膨らみの進みに応じて着用できるものとなる。前記伸縮できる生地をベア天竺生地とすると腹部に対する締付け感が優れたものとなる。また、前記インナーパンツの上部より下部をボア生地で構成したものであっては寒冷時における保温効果がより優れたものとなる。
【００１１】
前記アウターウェアボトムスをスカートやズボンとすることにより、着用者のファッションの選択の幅を広げることができるものである。
【図面の簡単な説明】
【００１２】
【図１】本考案の実施形態を示す一部切欠正面図である。
【図２】本考案の実施形態を示す一部切欠側面図である。
【図３】妊娠初期又は産後における着用状態を示す側面図である。
【図４】妊娠後期における着用状態を示す側面図である。
【考案を実施するための形態】
【００１３】
次に、本考案の好ましい実施形態をアウターウェアボトムスをスカートよりなるものにより図面に基づいて説明する。
【００１４】
１はスカートよりなるアウターウェアボトムスであり、該アウターウェアボトムス１にはインナーパンツ２が備えられている。
【００１５】
前記アウターウェアボトムス１は上部リブ部１１を該アウターウェアボトムス１の上部を折り返して袋縫にて構成したものとして備えている。そして、該上部リブ部１１は周囲を広くしてゴム紐１２の伸縮により調節できる構成としている。
【００１６】
また、前記ゴム紐は調節手段により長さ調節自在としたものである。前記調節手段は、ゴム紐１２を袋縫にて構成した上部リブ部１１の後身頃に対応する箇所に挿入して該ゴム紐１２の一端を後身頃に対応する一端に固定して、そして、該ゴム紐１２の他端に複数の係止部１３をゴム紐１２の長手方向に設けて、任意の係止部１３を上部リブ部１１の後身頃に対応する他端から抜き出してその箇所に設けた係止受部１４に係止させて、ゴム紐１２の長さを調節するものとしたものである。なお、前記固定手段は逢着であっても着脱できるものであっても良いものである。
【００１７】
なお、この実施形態では前記ゴム紐１２に設けた複数の係止部１３は釦ホールよりなるものとして、係止受部１４を釦としているが、複数の係止部１３をスナップの雄型に、係止受部１４をスナップ雌型と、又はその逆でもよいものである。
【００１８】
また、調節手段は前記したものに限ることなく、面ファスナーにより調節自在としてもよく、或いは、バンドアジャスターであってもよいものである。
【００１９】
また、前記実施形態では前記ゴム紐１２を上部リブ部１１の後身頃に対応する箇所に挿入したものであるが、ゴム紐１２をウエストを一周するように上部リブ部１１の全周に亘りリング状にフリーの状態で挿入するものとしてよいものである。なお、この場合にゴム紐１２の長さ調節自在とする調節手段は、リング状のゴム紐に釦と複数の釦ホールを配置して上部リブ部１１から露出させて、釦を任意の釦ホールに係止したものとしてもよく、さらには、スナップ、面ファスナーであってもよいものである。
【００２０】
前記インナーパンツ２はウエスト２１の上端を前記上部リブ部１１の下端内面に逢着して一体に構成したものである。さらに、前記インナーパンツ２は少なくとも上部２２を伸縮できる生地で構成したものである。なお、伸縮できる生地としてはベア天竺生地であることが好ましいが、これに限定されることはないものである。
【００２１】
また、前記インナーパンツ２の上部２２より下部２３をボア生地で構成したものが、寒冷時には好ましいが、これに限定されることはないものである。
【００２２】
このように構成されたものは、アウターウェアボトムス１の上部リブ部１１の周囲を広くしてゴム紐１２の伸縮により調節できる構成として、また、インナーパンツ２のウエスト２１の上端を前記上部リブ部１１の下端内面に逢着して一体として構成したものであるから、着用者の腹部の大きさが変動しても着用できるものである。
【００２３】
したがって、図３〜図４に示すように妊婦の妊娠初期から産前まで及び産後の月数の経過による腹部の変動に応じた着用が腹部を隠した状態できるものである。しかも、インナーパンツ２は少なくとも上部２２を伸縮できる生地で構成したものであるので、これに接する腹部は膨らみ具合に応じた適度な強さで締め付けられて快適な着心地となるものである。そして、冬季において妊婦の防寒対策となり、見た目においてもスッキリと着こなすことができるものである。
【符号の説明】
【００２４】
１  アウターウェアボトムス
11  上部リブ部
12  ゴム紐
２  インナーパンツ
21  ウエスト
22  上部
23  下部
【図１】
0003213986.tif 000003
【図２】
0003213986.tif 000004
【図３】
0003213986.tif 000005
【図４】
0003213986.tif 000006